(57)【要約】      （修正有）【課題】ドーム屋根をはじめとする大スパンの屋根架構を、パネルユニットを用いて構築する方法を提供する。【解決手段】屋根架構はその頂点から放射状に引いた経線と、同頂点を中心として同心状に引いた緯度線とに囲まれた四角形の集合体とみなし、パネルユニットは四角形を形成する経線と緯度線を共有し、隣接する四角形の対角線を四辺とする四角形に形成している。パネルユニットを隣接するもの同士の四辺の枠材同士を突き合わせて接合し屋根架構を構築する。【選択図】図１
2005273249.tif 000002
【特許請求の範囲】
【請求項１】
二方向に曲率を有する屋根架構を、パネルユニットを用いて構築する方法であって、
屋根架構はその頂点から放射状に引いた経線と、同頂点を中心として同心状に引いた緯度線とに囲まれた四角形の集合体とみなし、パネルユニットは前記四角形を形成する経線と緯度線を共有し、隣接する四角形の対角線を四辺とする四角形に形成していること、
前記パネルユニットを隣接するもの同士の四辺の枠材同士を突き合わせて接合し屋根架構を構築することを特徴とする、パネルユニットを用いた屋根架構の構築方法。
【請求項２】
二方向に曲率を有する屋根架構を、パネルユニットを用いて構築する方法であって、
屋根架構は平面的に見て直交する二方向の線で囲まれた四角形の集合体とみなし、パネルユニットは前記四角形を形成する直交する二方向の線を共有し、隣接する四角形の対角線を四辺とする四角形に形成していること、
前記パネルユニットを隣接するもの同士の四辺の枠材同士を突き合わせて接合し屋根架構を構築することを特徴とする、パネルユニットを用いた屋根架構の構築方法。
【請求項３】
カマボコ型の屋根架構を、パネルユニットを用いて構築する方法であって、
カマボコ型の屋根架構は、円周方向に引いた円周線と棟方向に引いた水平線とに囲まれた四角形の集合体とみなし、パネルユニットは前記四角形を形成する円周線と水平線を共有し、隣接する四角形の対角線を四辺とする四角形に形成していること、
前記パネルユニットを隣接するもの同士の四辺の枠材同士を突き合わせて接合し屋根架構を構築することを特徴とする、パネルユニットを用いた屋根架構の構築方法。
【請求項４】
パネルユニットは、複数の四角形の対角線を略菱形に結んだ大型形状に形成していることを特徴とする、請求項１〜３のいずれか一に記載したパネルユニットを用いた屋根架構の構築方法。
【請求項５】
パネルユニットの枠材は屋根架構の構造フレームを成すものとし、向かい合う枠材と突き合わせ可能に、外側の突き合わせ面を垂直面とする形鋼で構成していることを特徴とする、請求項１〜４のいずれか一に記載したパネルユニットを用いた屋根架構の構築方法。
【発明の詳細な説明】
【技術分野】
【０００１】
この発明は、ドーム屋根をはじめとする大スパンの屋根架構を、パネルユニットを用いて構築する方法の技術分野に属する。
【背景技術】
【０００２】
従来の大スパンの屋根架構は、鉄骨等で構造フレームを先行構築し（躯体工事）、その後前記構造フレームに仕上げ材を取り付けて（仕上げ工事）構築するのが一般的な手順であり、既に、多くの実施事例を見ることができる。しかし、この構築方法では、躯体工事と仕上げ工事とが完全に別手順となり、工期の長期化を招いていた。
【０００３】
Ａ．そのため、組み上げた枠材に仕上げ材を取り付けてパネルユニットを構成し、このパネルユニットの枠材を向かい合うパネルユニットの枠材と接合していき、躯体工事と仕上げ工事とを同時に行って屋根架構を構築できる技術が多数開発され、例えば以下の特許文献１〜４に開示されている。
【０００４】
（Ｉ）特許文献１には、複数の小梁を三角形状に接合した枠体内に、更に複数の小梁をラチス状に接合してパネルユニットを構成し、このパネルユニットの小梁を向かい合うパネルユニットの小梁と接合することで、躯体工事と仕上げ工事とを同時に行って屋根架構を構築できる方法が開示されている。
【０００５】
（II）特許文献２には、三角形状のパネルユニットの頂部同士を接合し、躯体工事と仕上げ工事とを同時に行って屋根架構を構築できる方法が開示されている。
【０００６】
特に、以下の特許文献３、４には、パネルユニットを用いて屋根架構を所定の曲率に形成できる手段も開示されている。
（III）特許文献３には、三角形状のパネルユニット同士を所定の曲率で接合できるように、該パネルユニットの各辺を形成する外枠材を所定の角度で内側に傾斜させ、パネルユニットの外枠材を向かい合うパネルユニットの外枠材と接合することで、躯体工事と仕上げ工事とを同時に行って屋根架構を所定の曲率で構築できる方法が開示されている。
【０００７】
（IV）特許文献４には、三角形状のパネルユニットの外周フレームを、向かい合うパネルユニットの外枠フレームと、屋根架構の曲率に倣った所定の角度に折り曲げた接合プレートを用いて接合することで、躯体工事と仕上げ工事とを同時に行って屋根架構を所定の曲率で構築できる技術が開示されている。
Ｂ．なお、切妻屋根や寄棟屋根の頂部を、屋根架構の勾配に倣って折り曲げたパネルユニットで構成する技術が、特許文献５〜７に開示されている。
【特許文献１】特許第３３４１１６６号公報
【特許文献２】特開平７−２５９２３８号公報
【特許文献３】特開平７−２２４４６４号公報
【特許文献４】特開平７−３１０３７０号公報
【特許文献５】実公平１−２４２４３号公報
【特許文献６】特開平８−２９１５８２号公報
【特許文献７】特開平９−１７０２８８号公報
【発明の開示】
【発明が解決しようとする課題】
【０００８】
パネルユニットを用いて屋根架構を構築する場合は、如何にしてパネルユニット同士を合理的に接合して前記屋根架構を所定の曲率に形成するのかが、大きな課題である。しかし、上記特許文献１、２には前記課題に対する解決手段が開示されていない。
【０００９】
一方、上記特許文献３、４には前記課題に対する解決手段が開示されており、注目できる。しかし、接合するパネルユニット相互に折れ角を生じさせて、屋根架構を所定の曲率に形成している。すなわち、特許文献３の場合は、傾斜角度を設けた外枠材同士を接合して屋根架構を所定の曲率に形成しているので、各傾斜角度に応じたテーパーナット等を用意して接合する必要があり、接合作業が煩雑で、効率が悪く工期の長期化を招く。また、特許文献４の場合は、パネルユニット相互の折れ角に応じた接合プレートを各接合部ごとに用意する必要があり、接合作業が煩雑である。しかも、接合プレートのみでパネルユニットの外周フレーム同士を接合するので、各パネルユニットを剛強な構造で一体化しているとは云えず、大スパンの屋根架構に採用することは困難である。
【００１０】
上記特許文献５〜７に開示された技術は、曲率を有する屋根架構を前提とした技術でないため、パネルユニットの相互間に折れ角が生じることがない。そのため、パネルユニットを接合して屋根架構を所定の曲率に形成する手段が開示されていない。
【００１１】
本発明の目的は、パネルユニットを隣接するもの同士の四辺の枠材同士を突き合わせて接合するだけで良く、即ち、パネルユニットの枠材に傾斜角度を設けたり、別途接合プレートを用いて接合しなくても、屋根架構を所定の曲率に形成することが可能で、接合作業が簡単で、効率が良く、工期の短縮を図ることができる、パネルユニットを用いた屋根架構の構築方法を提供することである。
【００１２】
本発明の次の目的は、各パネルユニットを剛強な構造で一体化することができ、大スパンの屋根架構に適したパネルユニットを用いた屋根架構の構築方法を提供することである。
【課題を解決するための手段】
【００１３】
上記従来技術の課題を解決するための手段として、請求項１に記載した発明に係るパネルユニットを用いた屋根架構の構築方法は、
二方向に曲率を有する屋根架構を、パネルユニットを用いて構築する方法であって、
屋根架構はその頂点から放射状に引いた経線と、同頂点を中心として同心状に引いた緯度線とに囲まれた四角形の集合体とみなし、パネルユニットは前記四角形を形成する経線と緯度線を共有し、隣接する四角形の対角線を四辺とする四角形に形成していること、
前記パネルユニットを隣接するもの同士の四辺の枠材同士を突き合わせて接合し屋根架構を構築することを特徴とする。
【００１４】
請求項２に記載した発明に係るパネルユニットを用いた屋根架構の構築方法は、
二方向に曲率を有する屋根架構を、パネルユニットを用いて構築する方法であって、
屋根架構は平面的に見て直交する二方向の線に囲まれた四角形の集合体とみなし、パネルユニットは前記四角形を形成する直交する二方向の線を共有し、隣接する四角形の対角線を四辺とする四角形に形成していること、
前記パネルユニットを隣接するもの同士の四辺の枠材同士を突き合わせて接合し屋根架構を構築することを特徴とする。
【００１５】
請求項３に記載した発明に係るパネルユニットを用いた屋根架構の構築方法は、
カマボコ型の屋根架構を、パネルユニットを用いて構築する方法であって、
カマボコ型の屋根架構は、円周方向に引いた円周線と棟方向に引いた水平線とに囲まれた四角形の集合体とみなし、パネルユニットは前記四角形を形成する円周線と水平線を共有し、隣接する四角形の対角線を四辺とする四角形に形成していること、
前記パネルユニットを隣接するもの同士の四辺の枠材同士を突き合わせて接合し屋根架構を構築することを特徴とする。
【００１６】
請求項４記載の発明は、請求項１〜３のいずれか一に記載したパネルユニットを用いた屋根架構の構築方法において、
パネルユニットは、複数の四角形の対角線を略菱形に結んだ大型形状に形成していることを特徴とする。
【００１７】
請求項５記載の発明は、請求項１〜４のいずれか一に記載したパネルユニットを用いた屋根架構の構築方法において、
パネルユニットの枠材は屋根架構の構造フレームを成すものとし、向かい合う枠材と突き合わせ可能に、外側の突き合わせ面を垂直面とする形鋼で構成していることを特徴とする。
【発明の効果】
【００１８】
本発明に係るパネルユニットを用いた屋根架構の構築方法は、接合するパネルユニット相互が、屋根架構に引いた経線と緯度線、又は直交する二方向の線、若しくは円周線と水平線とで囲まれた同一の四角形から区画された関係となるので、前記パネルユニット相互に折れ角が生じることは無く、平面的に接合できる。そして、接合したパネルユニットは、屋根架構の曲率をパネルユニット自体の形態によって実現できる。そのため、パネルユニットの枠材に傾斜角度を設けたり、別途用意した接合プレートを用いて接合しなくても良く、パネル面に対して垂直な枠材同士を突き合わせて接合するだけで、屋根架構を所定の曲率に形成でき、接合作業が簡単で、効率が良く、工期の短縮を図ることができる。
【００１９】
また、パネルユニットの枠材同士を突き合わせて接合するので、パネルユニット相互を剛強に接合でき、大スパンの屋根架構の構築に適している。しかも、パネルユニットが三次元形態であるので、パネルユニット自体の剛性や安定性が高く、やはり大スパンの屋根架構の構築に適している。
【発明を実施するための最良の形態】
【００２０】
屋根架構はその頂点から放射状に引いた経線と、同頂点を中心として同心状に引いた緯度線とに囲まれた四角形の集合体とみなし、パネルユニットは前記四角形を形成する経線と緯度線を共有し、隣接する四角形の対角線を四辺とする四角形に形成する。前記パネルユニットを隣接するもの同士の四辺の枠材同士を突き合わせて接合し屋根架構を構築する。
【実施例１】
【００２１】
先ず、請求項１及び請求項５に記載した発明に係るパネルユニットを用いた屋根架構の構築方法（以下、単に構築方法と云う場合がある。）の実施例を、図１〜図５に基づいて説明する。本実施例の構築方法は、二方向に曲率を有するドーム屋根をはじめとする、平面視が円形状（但し、この限りでない。）の大スパンの屋根架構１を、パネルユニット２（２’）を用いて構築するために実施する。
【００２２】
前記パネルユニット２（２’）は、図３に示すように、通例のパネルユニットと同様に、屋根架構１の構造フレームを成すものとして溝形鋼から成る枠材３（３’）と、補強用ブレース４と、仕上げ材５で構成しているが、その形態が異なる。すなわち、屋根架構１をその頂点から放射状に引いた経線Ａと、同頂点を中心として同心状に引いた緯度線Ｂで囲まれた四角形Ｃ１、Ｃ２、Ｃ３、Ｃ４の集合体とみなし、パネルユニット２（２’）は前記四角形Ｃ１、Ｃ２、Ｃ３、Ｃ４を形成する経線Ａと緯度線Ｂを共有し、隣接する４個の四角形Ｃ１〜Ｃ４の各対角線Ｄ１〜Ｄ４を四辺とする四角形に形成している（図１〜図４を参照）。
【００２３】
具体的には、本実施例の屋根架構１は、図２に斜線部分で示すように、右上の四角形Ｃ１と、右下の四角形Ｃ２、左下の四角形Ｃ３、左上の四角形Ｃ４を同一平面上に集合させており、この４個の四角形Ｃ１〜Ｃ４を一つの範囲Ｅとし、隣接する範囲ＥとＥの相互間を屋根架構１の曲率Ｒに倣った所定の角度で折り曲げた集合体とみている。この４個の四角形Ｃ１〜Ｃ４の集合関係のもと、パネルユニット２の枠材３…は、四角形Ｃ４を右上に配置し、これを起点として時計回りに四角形Ｃ３、Ｃ２、Ｃ１の各対角線Ｄ４、Ｄ３、Ｄ２、Ｄ１を略菱形に結んだ形状に接合してあって、経線Ａを軸として所定の角度θで折り曲げた形態としている。パネルユニット２’の枠材３’…は、四角形Ｃ２を右上に配置し、これを起点として時計回りに四角形Ｃ１、Ｃ４、Ｃ３の各対角線Ｄ２、Ｄ１、Ｄ４、Ｄ３を略菱形に結んだ形状に接合してあって、緯度線Ｂを軸にして所定の角度θ’で折り曲げた形態としている。つまり、図２に示すように、上下左右に隣接するパネルユニット２’、２’、２、２は、上側のパネルユニット２’の緯度線Ｂより下方の領域と、下側のパネルユニット２’の緯度線Ｂより上方の領域と、左側のパネルユニット２の経線Ａより右側の領域と、右側のパネルユニット２の経線Ａより左側の領域が、同一の範囲Ｅから区画された関係となる。そのため、各領域間で折れ角が生じることは無く、パネルユニット２と２’の相互を平面的に接合できる。そして、接合したパネルユニット２と２’は、屋根架構１の曲率をパネルユニット自体の形態によって実現できる。そのため、図５に示すように、パネルユニット２（２’）の枠材３（３’）に傾斜角度を設けたり、別途用意した接合プレートを用いて接合しなくても良く、パネルユニット２（２’）の枠材３（３’）を構成する溝形鋼の垂直面を外側の突き合わせ面として、パネルユニット２の枠材３を向かい合うパネルユニット３の枠材３’と突き合わせ、ボルト６とナット７で接合するだけで、屋根架構１を所定の曲率Ｒに形成でき、接合作業が容易で、効率が良く、工期の短縮を図ることができる（請求項５記載の発明）。
【００２４】
なお、上記パネルユニット２（２’）は、図３に示すように、上下左右に隣接する４枚のパネルユニットを良好に接合することができるように、隅部を切り欠いた形状としている。従って、上記パネルユニット２（２’）を用いて屋根架構１を構築すると、図２に示すように小さな開口Ｅ’ができる。
【００２５】
このパネルユニット２（２’）を、以下のように接合して屋根架構１を構築する。先ず、略菱形の形状のパネルユニット２（２’）を接合できるように、三角形状のパネルユニット８の底辺を形成する枠材８ａを、予め屋根架構１の外周に沿って構築した構造物（図示を省略）に接合する。そして、隣接する前記パネルユニット８と８の間へ経線Ａで折り曲げた形態のパネルユニット２を配置し、下側の枠材３、３をそれぞれ、前記下方で隣接するパネルユニット８、８の斜辺を形成する枠材８ｂ、８ｂに接合する。次に、前記パネルユニット２と２の間へ緯度線Ｂで折り曲げた形態のパネルユニット２’を配置し、下側の枠材３’、３’をそれぞれ、前記下方で隣接するパネルユニット２、２の上側の枠材３、３に接合する。その後、経線Ａで折り曲げた形態のパネルユニット２と、緯度線Ｂで折り曲げた形態のパネルユニット２’とを交互に接合し、最後に雨仕舞いの処理を行うと構築作業が完了する。
【００２６】
本発明の構築方法は、パネルユニットの枠材同士を突き合わせて接合するので、パネルユニット相互を剛強に接合でき、大スパンの屋根架構の構築に適している。しかも、パネルユニットが三次元形態であるので、パネルユニット自体の剛性や安定性が高く、やはり大スパンの屋根架構の構築に適している。
【００２７】
また、接合部の構造がシンプルなので、例えば、前記枠材の相互間にシール材を設けて雨仕舞いの処理を簡単に実施できる。
【００２８】
下側の２辺を形成する枠材３、３（３’、３’）を接合して支持させたパネルユニット２（２’）へ、新たなパネルユニット２’（２）を接合していくので、構築作業時の安定性に優れ、上下方向に大きく曲げ変形することがない。そのため、せり出し工法のような無支保工施工法を好適に採用することができる。また、パネルユニットを接合する際の位置決め、精度の確保も簡単である。
【００２９】
もちろん、パネルユニット２（２’）を用いて屋根架構１を構築するので、躯体工事と仕上げ工事とを同時に行うことができ、屋根架構１を構築することができ、構築作業の効率が良く、工期の短縮を図ることができる。
【実施例２】
【００３０】
上記実施例１は、比較的小型のパネルユニット２を用いて屋根架構１を構築したが、図６〜図８に示すように、大型のパネルユニット１２を用いても良い。
【００３１】
具体的には、上記実施例１と同様に、屋根架構１は上下左右に隣接する四角形Ｃ１〜Ｃ４を同一平面上に集合させており、この４個の四角形Ｃ１〜Ｃ４を一つの範囲Ｅとし、隣接する範囲ＥとＥの相互間を屋根架構１の曲率Ｒに倣った所定の角度で折り曲げた集合体とみている。そして、上下左右に隣接する４個の範囲Ｅ１〜Ｅ４の集合関係のもと、パネルユニット１２の枠材１３…は、上下左右に隣接する４個の範囲Ｅ１〜Ｅ４の各対角線Ｆ１〜Ｆ４を略菱形に結んだ形状に接合している（請求項４記載の発明）。各枠材１３の中間部から、屋根架構１の曲率Ｒに倣った所定の角度で延びる４本の梁材９…を、パネルユニット１２の中央部でノード板１０を介して接合している。前記梁材９…によって区画された枠体内には、補強用ブレース材４を設けている。すなわち、前記パネルユニット１２は、実施例１の上下左右に隣接する４枚のパネルユニット２、２、２’、２’を単一の大型パネルユニットで構成した形態である。そのため、高所での作業を軽減することができ、作業の安全性が高い。また、上方空間でパネルユニットの配置、接合作業を繰り返すのに比べて、作業効率が向上し、工期の短縮を図ることができる。
【００３２】
なお、前記パネルユニット１２は大版であるので、下方から支保工で支持しながら、構築作業を進めることになるが、パネルユニット１２の中央部はノード板１０を介して４本の梁材９…を剛強に接合しており、強度が高いので、この中央部を好適に支保工によって支持しながら、構築作業を進めることができる。
【実施例３】
【００３３】
上記実施例２は、実施例１の上下左右に隣接する４枚のパネルユニット２、２、２’、２’を単一の大型パネルユニット１２で構成した形態を示したが、図９に示すように、同４枚のパネルユニット２、２、２’、２’を接合して予め一体化した（集合させた）構成のパネルユニット２２でも、同様に実施できる。
この場合、図９に示すパネルユニット２２は中央部を補強板１１で補強すると良い。
【実施例４】
【００３４】
上記実施例１〜３では、屋根架構１を経線Ａと緯度線Ｂとで囲まれた四角形Ｃ１、Ｃ２、Ｃ３、Ｃ４の集合体とみなして形成したパネルユニット２（２’）、１２、２２を用いて屋根架構１を構築したが、図１０に示すように、屋根架構１を平面的に見て直交する二方向の線ＧとＨで囲まれた四角形Ｉ１、Ｉ２、Ｉ３、Ｉ４の集合体とみなして形成したパネルユニット３２（３２’）を用いても良い。
【００３５】
パネルユニット３２（３２’）は、上記実施例１と略同様に、前記四角形Ｉ１、Ｉ２、Ｉ３、Ｉ４を形成する、直交する二方向の線ＧとＨを共有し、隣接する４個の四角形Ｉ１〜Ｉ４の各対角線Ｊ１〜Ｊ４を略菱形に結んだ形状に形成している（請求項２記載の発明）。したがって、前記パネルユニット３２、３２’も、上記実施例１と同様に、隣接するパネルユニット３２と３２’の相互を平面的に接合でき、屋根架構１の曲率をパネルユニット自体の形態によって実現できる。そのため、パネルユニット３２（３２’）の枠材に傾斜角度を設けたり、別途用意した接合プレートを用いて接合しなくても良く、パネル面に対して垂直な枠材同士を突き合わせ、ボルトとナットで接合するだけで、屋根架構１を所定の曲率Ｒに形成でき、接合作業が容易で、効率が良く、工期の短縮を図ることができる。
【実施例５】
【００３６】
上記実施例４は比較的小型のパネルユニット３２（３２’）を用いて屋根架構１を構築したが、図１１に示すように、大型のパネルユニット４２を用いても良い。
パネルユニット４２は、上記実施例２又は３と略同様に、隣接する４個の範囲Ｋ１〜Ｋ４の各対角線Ｌ１〜Ｌ４を略菱形に結んだ形状とするか、又は隣接する４個の四角形Ｉ１〜Ｉ４の各対角線Ｊ１〜Ｊ４を略菱形に結んだパネルユニット３２、３２、３２’、３２’を４枚接合して予め一体化した構成としている。
【実施例６】
【００３７】
次に、１方向に曲率を有するカマボコ型の屋根架構１０１を、パネルユニット５２を用いて構築する実施例を、図１２に基づいて説明する。
【００３８】
この構築方法も、前記実施例４と略同様に、屋根架構１０１を円周方向に引いた円周線Ｍと棟方向に引いた水平線Ｎとで囲まれた四角形Ｏ１、Ｏ２、Ｏ３、Ｏ４の集合体とみなし、パネルユニット５２は前記四角形Ｏ１、Ｏ２、Ｏ３、Ｏ４を形成する円周線Ｍと水平線Ｎを共有し、隣接する４個の四角形Ｏ１〜Ｏ４の各対角線Ｐ１〜Ｐ４を略菱形に結んだ形状に形成している。この場合、屋根架構１０１は１方向にのみ曲率を有するので、パネルユニット５２は水平線Ｎを軸にして所定の角度で折り曲げており、隣接するもの同士の四辺の枠材同士を突き合わせて接合し、屋根架構１０１を構築する（請求項３記載の発明）。したがって、前記パネルユニット５２も、上記実施例１〜５と同様に、隣接するパネルユニット５２と５２の相互を平面的に接合でき、屋根架構１０１の曲率をパネルユニット自体の形態によって実現できる。そのため、パネルユニット５２の枠材に傾斜角度を設けたり、別途用意した接合プレートを用いて接合しなくても良く、パネル面に対して垂直な枠材同士を突き合わせ、ボルトとナットで接合するだけで、屋根架構１０１を所定の曲率に形成でき、接合作業が容易で、且つ効率が良く、工期の短縮を図ることができる。
【００３９】
なお、本実施例のパネルユニット５２も、上記実施例１と略同様に、４個の四角形Ｏ１〜Ｏ４の各対角線Ｐ１〜Ｐ４を略菱形に結んだ形状に形成しているが、上記実施例２及び３と略同様に、隣接する４個の範囲の各対角線を略菱形に結んだ形状とするか、又は隣接する４個の四角形Ｏ１〜Ｏ４の各対角線Ｐ１〜Ｐ４を略菱形に結んだパネルユニット５２を４枚接合して予め一体化した構成でも良い。
【実施例７】
【００４０】
上記パネルユニットは枠材に通例の仕上げ材を取り付けた構成としているが、この限りでない。すなわち、特開２００３−３０１５１７号公報に開示したパネルユニットと略同様に、枠材の枠面内の上下面を形成する金属薄板内に発泡樹脂を高圧充填して金属薄板に一定の膜張力を付与した構成としていても良い。
【図面の簡単な説明】
【００４１】
【図１】実施例１のパネルユニットを用いた屋根架構の構築方法を概念的に示した平面図である。
【図２】図１を拡大して示した拡大平面図である。
【図３】パネルユニットの構造を概略的に示した斜視図である。
【図４】パネルユニットの側面図である。
【図５】向かい合うパネルユニットの枠材同士の接合構造を示した断面図である。
【図６】実施例２のパネルユニットを概念的に示した斜視図である。
【図７】実施例２のパネルユニットを用いた屋根架構の構築方法を概念的に示した平面図である。
【図８】図７を拡大して示した拡大平面図である。
【図９】実施例３のパネルユニットを概念的に示した斜視図である。
【図１０】実施例４のパネルユニットを用いた屋根架構の構築方法を概念的に示した平面図である。
【図１１】実施例５のパネルユニットを用いた屋根架構の構築方法を概念的に示した平面図である。
【図１２】実施例６のパネルユニットを用いた屋根架構の構築方法を概念的に示した斜視図である。
【符号の説明】
【００４２】
１          屋根架構
Ｒ          曲率
２、２’    パネルユニット
３、３’    枠材
Ａ          経線
Ｂ          緯度線
Ｃ１〜Ｃ４  四角形
Ｄ１〜Ｄ４  対角線
θ、θ’    角度
１２        パネルユニット
１３        枠材
２２        パネルユニット
３２、３２’パネルユニット
Ｇ、Ｈ      直交する二方向の線
Ｉ１〜Ｉ４  四角形
Ｊ１〜Ｊ４  対角線
４２        パネルユニット
１０１      屋根架構
５２        パネルユニット
Ｍ          円周線
Ｎ          水平線
Ｏ１〜Ｏ４  四角形
Ｐ１〜Ｐ４  対角線
【図１】
2005273249.tif 000003
【図２】
2005273249.tif 000004
【図３】
2005273249.tif 000005
【図４】
2005273249.tif 000006
【図５】
2005273249.tif 000007
【図６】
2005273249.tif 000008
【図７】
2005273249.tif 000009
【図８】
2005273249.tif 000010
【図９】
2005273249.tif 000011
【図１０】
2005273249.tif 000012
【図１１】
2005273249.tif 000013
【図１２】
2005273249.tif 000014